(57)【要約】【課題】車体パネルの貫通孔に引っ掛けて仮保持をすることができ、引っ掛けた状態から装着部を貫通孔に向かって押し込むことで容易に嵌着することができるグロメットを提供する。【解決手段】ワイヤハーネス４０が貫通する車体パネル５０の貫通孔５１を塞ぐグロメット１０であって、車体パネル５０に当接してシールするシール部１１と、貫通孔５１に取り付けられる装着部２０と、ワイヤハーネス４０を挿通させて保持するハーネス保持部３０と、を備え、装着部２０には、貫通孔５１に装着部２０を取り付ける際に該装着部２０を仮保持する仮保持部２３が延設されている。【選択図】図１０
2020162188.tif 000002
【特許請求の範囲】
【請求項１】
ワイヤハーネスが貫通する車体パネルの貫通孔を塞ぐグロメットであって、
前記車体パネルに当接してシールするシール部と、
前記貫通孔に取り付けられる装着部と、
前記ワイヤハーネスを挿通させて保持するハーネス保持部と、
を備え、
前記装着部には、前記貫通孔に前記装着部を取り付ける際に該装着部を仮保持する仮保持部が延設されていることを特徴とするグロメット。
【請求項２】
請求項１記載のグロメットであって、
前記仮保持部は、前記装着部より延設された延長筒状部と、前記延長筒状部より外径が大きいリブと、を有していることを特徴とするグロメット。
【請求項３】
請求項２記載のグロメットであって、
前記装着部は、前記貫通孔に挿入されるパネル挿入部と、前記パネル挿入部と前記シール部のパネル当接面との間に形成された係合溝と、を有し、
前記装着部の一方の側の前記係合溝に前記貫通孔のエッジ部分が係合され、前記装着部の他方の側の前記パネル挿入部と前記リブに前記貫通孔のエッジ部分が引っ掛かることで、前記装着部が前記貫通孔に仮保持状態となることを特徴とするグロメット。
【発明の詳細な説明】
【技術分野】
【０００１】
本発明は、ワイヤハーネスが貫通する自動車等の車体パネルの貫通孔を塞ぐグロメットに関する。
【背景技術】
【０００２】
この種のグロメットの一従来例として、図１１〜図１３（ａ），（ｂ）に示すものがある。
【０００３】
図１１〜図１３（ａ），（ｂ）に示すように、グロメット１は、ワイヤハーネス５が貫通する車体パネル６の貫通孔６ａを塞ぐものであり、車体パネル６に当接して貫通孔６ａとの間をシールするシール部２と、貫通孔６ａに取り付けられる装着部３と、ワイヤハーネス５を挿通させて保持するハーネス保持部４と、を備えている。
【０００４】
そして、図１３（ａ），（ｂ）に示すように、車体パネル６の貫通孔６ａへグロメット１の装着部３のパネル挿入部３ａを押し込んで装着するが、その際、円筒状でＬ字形に屈曲したハーネス保持部４のハーネス出口部４ａを定められた方向に規制しながら作業するため、グロメット１が付いたワイヤハーネス５を取り付ける際、作業者が片手でワイヤハーネス５を持ち、もう片方の手でグロメット１の装着部３の取付作業を実施する場合がある。
【先行技術文献】
【特許文献】
【０００５】
【特許文献１】実開平１−１１１４１６号公報
【発明の概要】
【発明が解決しようとする課題】
【０００６】
前記従来の押し込みタイプのグロメット１では、片手でグロメット１の方向規制をして取り付ける場合に、まず、図１３（ａ）に示すように、グロメット１の下側（ハーネス保持部４側）を任意の方向に向けて、装着部３のパネル挿入部３ａを車体パネル６の貫通孔６ａに押し込み、その後、図１３（ｂ）に示すように、グロメット１の上側（パネル挿入部３ａの上側）まで押し込んで取り付ける作業が発生するが、装着部３の先端３ｂが車体パネル６のパネル面６ｂに引っ掛かり、グロメット１の押し込み作業に時間がかかる。また、片手での取付作業時にハーネス保持部４のハーネス出口部４ａの方向を規制しながらの取付作業は、仮保持が無いと非常に難作業である。
【０００７】
そこで、本発明は、前記した課題を解決すべくなされたものであり、車体パネルの貫通孔に引っ掛けて仮保持をすることができ、引っ掛けた状態から装着部を貫通孔に向かって押し込むことで容易に嵌着することができるグロメットを提供することを目的とする。
【課題を解決するための手段】
【０００８】
本発明は、ワイヤハーネスが貫通する車体パネルの貫通孔を塞ぐグロメットであって、前記車体パネルに当接してシールするシール部と、前記貫通孔に取り付けられる装着部と、前記ワイヤハーネスを挿通させて保持するハーネス保持部と、を備え、前記装着部には、前記貫通孔に前記装着部を取り付ける際に該装着部を仮保持する仮保持部が延設されていることを特徴とする。
【発明の効果】
【０００９】
本発明によれば、車体パネルの貫通孔に装着部から突設した仮保持部を引っ掛けて装着部を貫通孔に仮保持をすることができ、この引っ掛けた状態から装着部を貫通孔に向かって押し込むことで、グロメットを車体パネルの貫通孔に容易に嵌着して取り付けることができる。
【図面の簡単な説明】
【００１０】
【図１】本発明の一実施形態のグロメットを正面側から見た斜視図である。
【図２】上記グロメットを背面側から見た斜視図である。
【図３】上記グロメットの正面図である。
【図４】上記グロメットの背面図である。
【図５】上記グロメットの平面図である。
【図６】上記グロメットの左側面図である。
【図７】上記グロメットの右側面図である。
【図８】上記グロメットの底面図である。
【図９】上記グロメットの断面図である。
【図１０】上記グロメットを車体パネルに取り付ける時の断面図である。
【図１１】従来のグロメットの正面図である。
【図１２】上記従来のグロメットの右側面図である。
【図１３】（ａ）は上記従来のグロメットを車体パネルの貫通孔に取り付ける前の断面図、（ｂ）は同グロメットを車体パネルの貫通孔に取り付ける時の断面図である。
【発明を実施するための形態】
【００１１】
以下、本発明の一実施形態を図面に基づいて説明する。
【００１２】
図１は本発明の一実施形態のグロメットを正面側から見た斜視図、図２はグロメットを背面側から見た斜視図、図３はグロメットの正面図、図４はグロメットの背面図、図５はグロメットの平面図、図６はグロメットの左側面図、図７はグロメットの右側面図、図８はグロメットの底面図、図９はグロメットの断面図、図１０はグロメットを車体パネルに取り付ける時の断面図である。
【００１３】
図１０に示すように、グロメット１０は、ワイヤハーネス４０が貫通する金属製の車体パネル５０の貫通孔５１を塞ぐものであり、車体パネル５０に当接して貫通孔５１との間をシールするシール部１１と、貫通孔５１に取り付けられる装着部２０と、ワイヤハーネス４０を挿通させて保持するハーネス保持部３０と、を備えている。
【００１４】
図１、図２、図８、図９に示すように、シール部１１は、円盤環凹状に形成されていて、上面側に閉塞部１２を有している。また、シール部１１の下面側は、パネル当接面１３になっていて、その外周縁部には、円環凸状のリップ部１４が一体突出形成されている。
【００１５】
図１、図７、図９に示すように、装着部２０は、シール部１１のパネル当接面１３の内側より円筒状に一体突出形成され、貫通孔５１に挿入される略円筒状のパネル挿入部２１と、このパネル挿入部２１とシール部１１のパネル当接面１３との間に形成された円環凹状の係合溝２２と、を有している。パネル挿入部２１は、外周の中央が断面三角状になるように突出していて、前後が山形に傾斜した円錐面になっている。
【００１６】
また、図１〜図４、図６、図７、図９に示すように、装着部２０には、貫通孔５１に装着部２０を取り付ける際に該装着部２０を仮保持する仮保持部２３が延設されている。この仮保持部２３は、装着部２０のパネル挿入部２１の先端より延設された円筒状の延長筒状部２４と、この延長筒状部２４より外径が大きい円環凸状のリブ２５と、を有している。
【００１７】
そして、図１０に示すように、装着部２０の下側（一方の側）Ａの係合溝２２に貫通孔５１のエッジ部分５１ａが係合され、装着部２０の上側（他方の側）Ｂのパネル挿入部２１と仮保持部２３のリブ２５に貫通孔５１のエッジ部分５１ａが引っ掛かることで、装着部２０が貫通孔５１に仮保持状態となるようになっている。
【００１８】
図１〜図３、図８、図９に示すように、ハーネス保持部３０は、シール部１１の閉塞部１２の中央より円筒状でＬ字形に屈曲するように一体突出形成されており、正面（ハーネス保持部３０の先端部側）がハーネス出口部３１になっている。また、ハーネス保持部３０のハーネス出口部３１側の内周面には、ワイヤハーネス４０との隙間をシールする円環三角凸状のリップ部３２が一体突出形成されている。
【００１９】
さらに、図８及び図９に示すように、ハーネス保持部３０の基部側は半円筒状の凹部３３となってシール部１１の閉塞部１２側に続いており、その基端部には、テープ巻き用の舌片部３４が装着部２０の延長筒状部２４から外へ露出するように略矩形板状に一体突出形成されている。このテープ巻き用の舌片部３４とハーネス保持部３０とがＬ字状に屈曲する（直角になる）ように形成されている。また、テープ巻き用の舌片部３４の先端（下端）には、テープ止め突起３４ａが一体突出形成されている。
【００２０】
尚、図９、図１０に示すように、グロメット１０を構成するシール部１１と装着部２０及びハーネス保持部３０は、柔軟な材料（例えばゴム材）より一体形成されている。また、ワイヤハーネス４０は、複数の電線を束ねて構成されているが、このグロメット１０の円筒状でＬ字形に屈曲したハーネス保持部３０でシール裡に保持されるハーネスは、結束電線の他に単線の電線も含むものである。さらに、延長筒状部２４の軸方向の長さは、車体パネル５０の厚さよりも長く、或いは同程度に設定されている。
【００２１】
以上実施形態のグロメット１０によれば、装着部２０のパネル挿入部２１を延長筒状部２４により延長することで、図１０に示すように、装着部２０のパネル挿入部２１を車体パネル５０の貫通孔５１に挿入する時に、延長筒状部２４の先端の上側Ｂに位置するリブ２５が貫通孔５１を貫通しているため、装着部２０のパネル挿入部２１を貫通孔５１に押し込む時に、従来のように、装着部２０のパネル挿入部２１の先端が車体パネル５０のパネル面５０ａへ引っ掛かることが無くなり、装着部２０のパネル挿入部２１の貫通孔５１への挿入作業が容易になる。
【００２２】
また、車体パネル５０の貫通孔５１に装着部２０から突設した仮保持部２３を引っ掛けて、装着部２０に仮保持機能を持たせることで、片手での取付作業時に、Ｌ字形に屈曲したハーネス保持部３０のハーネス出口部３１の位置を規制しながらの取付作業が容易になる。さらに、装着部２０に仮保持部２３を突設することで、グロメット１０を支える作業が不要となる。
【００２３】
このように、車体パネル５０の貫通孔５１に装着部２０から突設した仮保持部２３を引っ掛けて装着部２０を貫通孔５１に仮保持をすることができ、この引っ掛けた状態から装着部２０のパネル挿入部２１を貫通孔５１に向かって押し込むことで、グロメット１０を車体パネル５０の貫通孔５１に容易に嵌着して取り付けることができる。
【００２４】
尚、前記実施形態によれば、グロメットを例えばゴム材で形成したが、グロメットを柔軟樹脂材等で形成しても良い。
【００２５】
また、前記実施形態によれば、ハーネス保持部とテープ巻き用の舌片部とをＬ字状に屈曲するように形成したが、テープ巻き用の舌片部に対して直線状（ストレート）になるようにハーネス保持部を形成しても良い。
【符号の説明】
【００２６】
１０  グロメット
１１  シール部
１３  パネル当接面
２０  装着部
２１  パネル挿入部
２２  係合溝
２３  仮保持部
２４  延長筒状部
２５  リブ
３０  ハーネス保持部
４０  ワイヤハーネス
５０  車体パネル
５１  貫通孔
５１ａ  エッジ部分
Ａ  下側（一方の側）
Ｂ  上側（他方の側）
【図１】
2020162188.tif 000003
【図２】
2020162188.tif 000004
【図３】
2020162188.tif 000005
【図４】
2020162188.tif 000006
【図５】
2020162188.tif 000007
【図６】
2020162188.tif 000008
【図７】
2020162188.tif 000009
【図８】
2020162188.tif 000010
【図９】
2020162188.tif 000011
【図１０】
2020162188.tif 000012
【図１１】
2020162188.tif 000013
【図１２】
2020162188.tif 000014
【図１３】
2020162188.tif 000015